(57)【要約】【課題】包装袋の製造工程とは別の工程を要することなく、また、別部材も要することなく、従来品よりも安価で、製造効率が優れた再封機能を付与した包装袋を提供すること。【解決手段】互いに重ねられたフィルムの四周を閉じて封鎖し、かつ、その一部に引き裂き開封案内部を設けて構成される包装袋１であって、前記引き裂き案内部から引き裂いて切り取られる帯状部位１３の一端に、切り込み１４を設けて係止片１５を形成すると共に、  その反対側の端部に前記係止片１５に係合する係止孔１６を設けて構成されており、切り取った帯状部材１３をループ状に、折り返した包装袋に巻き、係止片１５と係止孔１６とで係合・固定する。【選択図】図１
2006240692.tif 000002
【特許請求の範囲】
【請求項１】
互いに重ねられたフィルムの四周を閉じて封鎖し、かつ、その一部に引き裂き開封案内部を設けて構成される包装袋において、
前記引き裂き案内部から引き裂いて切り取られる帯状部位の一端に、切り込みを設けて係止片を形成すると共に、
その反対側の端部に前記係止片に係合する係止孔を設けて構成されることを特徴とする包装袋。
【請求項２】
互いに重ねられたフィルムの四周を閉じて封鎖し、かつ、その一部に引き裂き開封案内部を設けて構成される包装袋において、
前記引き裂き案内部から引き裂いて切り取られる帯状部位に、その長手方向に沿って、かつ、両端部を除いて切断予定線を設けて構成されることを特徴とする包装袋。
【発明の詳細な説明】
【技術分野】
【０００１】
本発明は、再封機能を有する包装袋に関する。更に詳しくは、別部材を要することなく、したがって、安価かつ容易に製造できる再封機能を有する包装袋に関する。
【背景技術】
【０００２】
菓子、かつお節、こんぶ、乾燥食品などの内容物を収容する三方シール袋や四方シール袋は広く知られており、また、広く知られている。このような内容物を収容する包装袋は、消費者の手に渡るまで内容物を密閉する必要があり、また、消費者が内容物を取り出す便宜のために、ノッチなどの開封案内部が設けられている。
【０００３】
また、この種の包装袋では、消費者が内容物の一部を取り出し、残部をそのまま包装袋内部に保存するため、再封機能を有する場合も多い。
【０００４】
このような再封機能としては、例えば、いわゆるチャックが知られている。すなわち、互いに嵌合可能な凹凸を有する２本の線状部材を包装袋を構成するフィルム内壁に取り付け、開封した後、この線状部材を互いに嵌合して再封することができる。また、再開封するときには、この線状部材の嵌合を解けば良い。再封と開封とは繰り返して行うことができる。
【０００５】
また、再封機能として包装袋の開封案内部近くに針金などを設けた包装袋や再封用のシールを別添した包装袋も知られている。
【０００６】
しかしながら、これら再封機能は、いずれの場合も包装袋そのものとは別のチャック、針金、シールなどの部材を必要とし、このため、包装袋の単価を押し上げ、しかもその取付けには包装袋そのものの製造とは別の工程を要するものであった。
【発明の開示】
【発明が解決しようとする課題】
【０００７】
そこで、本発明では、開封の際に切り取られ、不要物となる帯状部材に再封機能を付与することで、包装袋の製造工程中で切込みを設けることにより再封機能を付与し、こうして包装袋の製造工程とは別の工程を要することなく、また、別部材も要することなく、従来品よりも安価で、製造効率が優れた再封機能を付与した包装袋を提供することを目的とする。
【課題を解決するための手段】
【０００８】
すなわち、請求項１に係る発明は、互いに重ねられたフィルムの四周を閉じて封鎖し、かつ、その一部に引き裂き開封案内部を設けて構成される包装袋において、
前記引き裂き案内部から引き裂いて切り取られる帯状部位の一端に、切り込みを設けて係止片を形成すると共に、
その反対側の端部に前記係止片に係合する係止孔を設けて構成されることを特徴とする包装袋である。
【０００９】
また、請求項２に係る発明は、互いに重ねられたフィルムの四周を閉じて封鎖し、かつ、その一部に引き裂き開封案内部を設けて構成される包装袋において、
前記引き裂き案内部から引き裂いて切り取られる帯状部位に、その長手方向に沿って、かつ、両端部を除いて切断予定線を設けて構成されることを特徴とする包装袋である。
【発明の効果】
【００１０】
請求項１に係る発明によれば、切り取られて不要となる帯状部位の一端に係止片を形成すると共に、他端に係止孔を設けて、この係止片と係止孔とを係合可能としたので、開封した後の包装袋を折り返すと共に、こうして折り返された包装袋に前記帯状部位をループ状に巻き、その両端を互いに係合して固定することができる。
【００１１】
また、請求項２に係る発明によれば、帯状部材に切断予定線が設けられており、しかもこの切断予定線は帯状部材の両端を除いて設けられているから、この切断予定線を切断することにより、帯状部材はループ状となる。そして、このループ状に形成された帯状部材に、折り返された包装袋を挿入することにより、再封することが可能である。
【００１２】
従って、請求項１に係る発明及び請求項２に係る発明のいずれにおいても、不要品となった帯状部材で再封できるから、チャックなどの別部材を要することがない。また、この係止片と係合孔とは、包装袋製造工程の中で、そのヒートシール部に適当な形状の切込みを設けることによって形成することができるから、その製造も容易であるという利点を有する。
【発明を実施するための最良の形態】
【００１３】
以下、図面を参照して本発明の実施形態を説明する。
【００１４】
図面の図１は、請求項１に係る発明の実施形態を示し、その包装袋１の平面図である。なお、説明の便宜のため、内容物を収容しない状態の包装袋１を示している。
【００１５】
包装袋１は、２枚のフィルムを重ねてその四周をヒートシールして製造したものであり、一般に四方シール袋と呼ばれる形態を有している。なお、１枚のフィルムを中央から折り返して重ね、三方をヒートシールして製造される三方シール袋にも適用できることはいうまでもない。これらフィルムは任意のもので良いが、後述する開封案内部から引き裂き可能な１軸延伸フィルムを使用することが望ましい。
【００１６】
図中、１１は、包装袋四周のヒートシール部を示している。ヒートシール部１１の幅は、５ｍｍ以上あることが望ましい。１２は、ヒートシール部１１の一部に設けられたノッチである。このノッチ１２、すなわち開封案内部から包装袋１を引き裂いて開封することができ、この引き裂きによって切取られた部位が帯状部材１３に相当する。なお、引き裂き方向を誘導するため、包装袋を構成するフィルムに、厚み方向に半切れ状の引き裂き線を設けておくことができる。半切れ状の引き裂き線の代わりにミシン目を設けたものであっても良い。
【００１７】
次に、帯状部材１３の一端には切込み１４が設けられている。この切込み１４はほぼコの字状を有しており、帯状部材１３の中央から見て切込み１４の外側にこのコの字に囲まれた部位を有している。そして、このコの字状の切込み１４に囲まれた部位を係止片１５としている。
【００１８】
また、帯状部材１３の他端には、切り込み１６が設けられており、この切込みが係止孔１６として機能する。すなわち、切り込みによって設けられた係止孔１６は、前記係止片１５と係合可能な大きさと形状を有している。
【００１９】
なお、係止片１５を構成する切込み１３はコの字状に限られないが、係止片１５を構成できるものである必要がある。例えば、一定の角度で交わる２本の直線状に切込み１４を設け、その角部を係止片１５とすることもできる。また、円弧状の切込み１４によって係止片１５を構成することも可能である。
【００２０】
また、この切込み１５は、ヒートシール部１１に設けられることから、その部位から破袋しないよう配慮する必要がある。この必要のため、ヒートシール部１１のエッジから２ｍｍ以上離れた位置に設けることが望ましい。また、係止片１５を係止孔１６に係止して固定するため、切込み１３の幅１３ａは３ｍｍ以上あることが望ましく、その高さ１３ｂは２ｍｍ以上あることが望ましい（図２参照）。
【００２１】
そして、この包装袋１は、ノッチ１２から包装袋１を引き裂き、帯状部材１３を切り取って開封することができる。そして、折り返し線ｘから包装袋を折り返し、図３に示すように、前記帯状部材１３でループ状に包装袋１を巻き、係止片１５を係止孔１６に係合し、折り返した包装袋１が戻らないように固定することにより再封することができる。
【００２２】
次に、図４（ａ）は、係合孔１６として切込み１４と同一形状の切込みを利用したもので、その他は図１の例と同様である。また、図４（ｂ）は、切込み１４を円弧状としてこの切込み１４によって係止片１５を形成すると共に、この切込み１４と同一形状の切込みを利用して係止孔１６を形成したもので、その他は図１の例と同様である。
【００２３】
これらの包装袋１，２は、長尺でロール状に巻き取られたフィルムを使用し、このフィルムを巻き出しながら、所定の部位にヒートシール及び打ち抜き加工を施すことによって連続的に生産することができる。このため、通常使用されている製袋設備の他に設備を要することなく、また、その生産速度も三方シール袋や四方シール袋の生産速度と変らない。
【００２４】
なお、包装袋を構成するフィルムとして、厚さ１２μｍの１軸延伸ポリエステルフィルムにヒートシール剤として無延伸ポリプロピレンフィルムを積層した積層体を使用して、図１の包装袋を製造し、その再封性、再封の容易さ、再封可能な回数、密封性、生産性、コスト、及びこれらの結果を踏まえた総合評価を行った。チャックを備えた包装袋（チャック袋）、針金を備えた包装袋（ティン袋）、及びシールを別添した包装袋（別添シール）の評価と共に、表１に示す。
【００２５】
【表１】
2006240692.tif 000003
この結果から、再封回数と密封性の点でチャック袋に見劣りがするものの、再封の容易さ、生産性、コストの点で際だって優れていることが分かる。
【００２６】
次に、図５は、請求項２に係る発明の実施形態を示し、その包装袋の平面図である。
【００２７】
この包装袋２においては、帯状部材２３に、その長手方向に沿って、中央にミシン目２７が設けられており、このミシン目２７を切断することが可能である。そして、このミシン目２７は、帯状部材２３の長方向両端部を除いて設けられており、この両端部の切断を防ぐため、切断ストッパー２８が設けられている。なお、この切断ストッパー２８は、切込みによって設けることができる。
【００２８】
この包装袋２は、ノッチ２２から包装袋１を引き裂き、帯状部材２３を切り取って開封することができる。そして、図６（ａ）に示すように、帯状部材折り返し線ｘから包装袋を折り返し、ループ状に切り開いた帯状部材１３の中に包装袋２を挿入し、折り返した包装袋１が戻らないように固定することにより再封することができる。なお、図６（ｂ）は、折り返し線ｘから折り返した部位を巻き込むようにもう一度折り曲げ、ループ状に切り開いた帯状部材１３の中に包装袋２を挿入し、折り返した包装袋１が戻らないように固定したものである。
【００２９】
その他の点については、図１に示した包装袋と同様である。
【００３０】
なお、包装袋を構成するフィルムとして、厚さ１２μｍの１軸延伸ポリエステルフィルムにヒートシール剤として無延伸ポリプロピレンフィルムを積層した積層体を使用して、図２の包装袋を製造し、その再封性、再封の容易さ、再封可能な回数、密封性、生産性、コスト、及びこれらの結果を踏まえた総合評価を行った。チャックを備えた包装袋（チャック袋）、針金を備えた包装袋（ティン袋）、及びシールを別添した包装袋（別添シール）の評価と共に、表２に示す。
【００３１】
【表２】
2006240692.tif 000004
【図面の簡単な説明】
【００３２】
【図１】請求項１の発明の実施形態に係る包装袋の平面図。
【図２】図１に係る包装袋の係止片の構造を説明するための要部説明図。
【図３】図１の包装袋の使用状態を示す説明図。
【図４】図４（ａ）は請求項１の発明の他の実施形態に係る包装袋の平面図。図４（ｂ）は更に他の実施形態を示す平面図。
【図５】請求項２の発明の実施形態に係る包装袋の平面図。
【図６】図６（ａ）は図５に係る包装袋の使用形態を示す説明図。図６（ｂ）は他の使用形態を示す説明図。
【符号の説明】
【００３３】
１，２…包装袋
１１，２１…ヒートシール部
１２，２２…ノッチ
１３，２３…帯状部材
１４…切込み
１５…係止片
１６…係止孔
２７…ミシン目
２８…切断ストッパー
【図１】
2006240692.tif 000005
【図２】
2006240692.tif 000006
【図３】
2006240692.tif 000007
【図４】
2006240692.tif 000008
【図５】
2006240692.tif 000009
【図６】
2006240692.tif 000010